(57)【要約】      （修正有）【課題】張り替え容易なハープの替え用弦を提供する。【解決手段】本考案に係るハープの替え用弦３０は、ガット製又はナイロン製の弦２０と、弦２０の一端に設けられ、ハープ本体の止め穴よりも大きい係止部とを備え、係止部は、弦による結び目を有しない。【選択図】図５
0003218309.tif 000002
【実用新案登録請求の範囲】
【請求項１】
ガット製又はナイロン製の弦と、
前記弦の一端に設けられ、ハープ本体の止め穴よりも大きい係止部とを備え、
前記係止部は、前記弦による結び目を有しないこと、
を特徴とするハープの替え用弦。
【請求項２】
前記係止部は、
ボルトと、
ナットとを備え、
前記弦の一端が前記ボルトと前記ナットとで係合されること、
を特徴とする請求項１に記載のハープの替え用弦。
【請求項３】
前記ボルトの頭部は、前記弦の一端を前記ナットと接触可能に貫通させる穴を備えること、
を特徴とする請求項１又は２に記載のハープの替え用弦。
【考案の詳細な説明】
【技術分野】
【０００１】
本考案は、ハープの替え用弦に関する。
【背景技術】
【０００２】
従来よりハープ等の弦楽器に用いられる弦は切れやすいことが知られている。弦は素材によりガット弦、ナイロン弦及びスチール弦（ワイヤー弦）などがあるが、ガット弦やナイロン弦は湿度が高かったり、温度の変化の大きい時期に特に切れやすい。この場合、利用者は切れた弦を新しい弦に張り替える作業が必要である。金属製のスチール弦については比較的切れにくくはあるものの、古くなると音色・音量が劣化するため、この場合においても利用者は古くなった弦を新しい弦に張り替える作業が必要である。
【０００３】
新たな替え用の弦として市販品を購入可能であるが、通常の場合、替え用のガット弦・ナイロン弦は１本の弦のままの形状で販売されており、ハープ本体に弦を張り替えるには、利用者自身で弦の一端側を結んで結び目（コブ）を作るといった作業が必要である。弦の一端側は結んだ結び目を止め穴に通して固定し、弦のもう一端側はチューニングピンに巻き付けるようにして固定することで、ハープ本体に弦を張り替える（例えば、特許文献１参照）。
【０００４】
なお、スチール弦の場合には一端に予め留玉が付いている形状で販売されていることが多く、利用者自らが結ぶ必要が無いことが多い。
【先行技術文献】
【特許文献】
【０００５】
【特許文献１】特許第４４８８３２３号
【考案の概要】
【考案が解決しようとする課題】
【０００６】
利用者自身で弦の一端側を結ぶための結び方は、初めにマスターすべきものとして初心者が習うものである。よって熟練者にとってはさほど困難なものではない。
【０００７】
しかしながら、太さのあるナイロン弦は硬く、この一端を同じナイロン素材の細い芯棒に沿わせて抜けないような結び目を作ることは、初心者にとって困難な作業となる。また、熟練者であっても、結び目をつくるには一定の時間を要する。演奏会場で本番が迫っている際に弦が切れた場合は、可能な限り短時間で弦を張替えてチューニングすることが求められる。
【０００８】
本考案は、上記の点に鑑み提案されたものであり、張り替え容易なハープの替え用弦を提供することを目的とする。
【課題を解決するための手段】
【０００９】
上記の課題を解決するため、本考案に係るハープ用弦は、ガット製又はナイロン製の弦と、前記弦の一端に設けられ、ハープ本体の止め穴よりも大きい係止部とを備え、前記係止部は、前記弦による結び目を有しないこと、を特徴とする。
【考案の効果】
【００１０】
本考案の実施の形態によれば、張り替え容易なハープの替え用弦を提供することができる。
【図面の簡単な説明】
【００１１】
【図１】本実施形態に係るハープ全体を示す図（その１）である。
【図２】本実施形態に係るハープ全体を示す図（その２）である。
【図３】従来例に係るサウンドホール内部で弦が固定されている様子を示す図である。
【図４】従来例に係る結び目の結び方の一例を示す図である。
【図５】本実施形態に係るハープの替え用弦の斜視図を示す図である。
【図６】本実施形態に係るハープの替え用弦の側面図を示す図である。
【図７】本実施形態に係るハープの替え用弦の断面図を示す図である。
【図８】本実施形態に係るボルト・ナットの側面を示す図である。
【図９】本実施形態に係るサウンドホール内部で弦が固定されている様子を示す図である。
【考案を実施するための形態】
【００１２】
本考案の実施の形態について、図面を参照しつつ詳細に説明する。
【００１３】
図１は、本実施形態に係るハープ全体を示す図（その１）である。ハープ本体１０は、例えばピラー（支柱）１１、ネック１２、ショルダー１３、サウンドボックス１４、ベース（フット）１５などを含む各部から構成される。
【００１４】
また、ネック１２の近傍には弦２０の本数分のチューニングピン１６が設けられている。弦２０の両端のうち、一端はチューニングピン１６で固定（係止）されるとともに、もう一端はサウンドボックス１４の止め穴（係止穴）１４ａを貫通して固定（係止）される。なお、チューニングピン１６は弦を巻いて音程を合わす部品でもある。
【００１５】
図２は、本実施形態に係るハープ全体を示す図（その２）である。サウンドボックス１４の底面（下面）には、サウンドホール１４ｂと呼ばれる空洞が設けられている。
【００１６】
＜従来例に係る弦の張替え作業＞
図３は、従来例に係るサウンドホール内部で弦が固定されている様子を示す図である。図３には、サウンドホール１４ｂ内部において、サウンドボックス１４の止め穴１４ａに弦２０が固定されている様子が示されている。従来において、ハープ本体１０に弦２０を張り替える手順は以下の通りである。なお、ハープの替え用弦は１本の弦のままの形状で販売されているものを用いる。
【００１７】
（ステップ１）
弦２０の一端を結び、結び目を作る。結び方は複数存在するものの、サウンドボックス１４の止め穴１４ａよりもサイズが大きい結び目を作ればよい（図４（ａ））。
【００１８】
但し、高音域に用いられる細い弦については、結び目だけでは止め穴１４ａよりもサイズが小さく止め穴１４ａから抜けてしまう。このため、ガット弦・ナイロン弦等の太目の弦２０を１〜１．５ｃｍ程度にカットした切れ端２１を結び目に通したものを作成する（図４（ｂ））。
【００１９】
（ステップ２）
弦２０のもう一端（結び目の無い方）を、サウンドボックス１４裏のサウンドホール１４ｂ内側から止め穴１４ａに通し（図３の状態Ａ）、結び目がある側の一端が止め穴１４ａに引っかかるまで、弦２０を引き出す（図３の状態Ｂ）。
【００２０】
（ステップ３）
引き出した弦２０の一端（結び目の無い方）をチューニングピン１６の穴に通し、弦２０がピンと張るまでチューニングピン１６を巻き上げる。
【００２１】
＜本実施形態に係る弦の張替え作業＞
図５は、本実施形態に係るハープの替え用弦の斜視図を示す図である。図６は、本実施形態に係るハープの替え用弦の側面図を示す図である。図７は、本実施形態に係るハープの替え用弦の断面図を示す図である。図８は、本実施形態に係るボルト・ナットの側面を示す図である。
【００２２】
ボルト３２には弦２０を通すための穴３２ａと、ナット３１と対となるねじ３２ｂとが設けられている。加えて弦２０がある。
【００２３】
本実施形態に係るハープの替え用弦３０を作成するには、弦２０をボルト３２に設けられた穴３２ａに完全に貫通するまで通してから、ナット３１をねじ巻いて嵌め込む。このときナット３１とボルト３２との間に穴３２ａから貫通した弦２０の先端部を係合することで（挟み込むことで）、弦２０がボルト３２・ナット３１から抜けないよう固定される。このようにして、ハープの替え用弦３０が、ボルト３２・ナット３１付きの弦２０として作成される。
【００２４】
なお、図７に示さるように、弦２０をボルト３２に設けられた穴３２ａは、ボルト３２の頭部３２ｃ面に対して垂直とするよりも傾斜を付けて貫通することで、弦２０がボルト３２・ナット３１から抜けないようにより強固に固定される。また、ボルト３２・ナット３１の間に接着剤等を塗布することで、弦２０がボルト３２・ナット３１から抜けないようにより強固に固定されうる。
【００２５】
図９は、本実施形態に係るサウンドホール内部で弦が固定されている様子を示す図である。図９には、サウンドホール１４ｂ内部において、サウンドボックス１４の止め穴１４ａに替え用弦３０（ボルト３２・ナット３１付きの弦２０）が固定されている様子が示されている。本実施形態において、ハープ本体１０に替え用弦３０を張り替える手順は以下の通りである。なお、替え用弦３０はボルト３２・ナット３１付きの弦２０の形状で販売されるものを用いる。
【００２６】
（ステップ１）
替え用弦３０の一端（ボルト３２・ナット３１が付いていない方）を、サウンドボックス１４のサウンドホール１４ｂ内側から止め穴１４ａに通し（図９の状態Ａ）、ボルト３２・ナット３１が止め穴１４ａに引っかかるまで、弦２０を引き出す（図９の状態Ｂ）。
【００２７】
（ステップ２）
引き出した替え用弦３０の一端（ボルト３２・ナット３１が付いていない方）をチューニングピン１６の穴に通し、弦２０がピンと張るまでチューニングピン１６を巻き上げる。
【００２８】
以上のように本実施形態に係るハープの替え用弦３０は、替え用弦３０の両端のうち、その一端にボルト３２・ナット３１が予め設けられている。このため、ハープ１０本体に替え用弦３０を張り替える場合、替え用弦３０の一端をサウンドボックス１４のサウンドホール１４ｂ内側から止め穴１４ａに通すだけで、替え用弦３０の一端をハープ１０本体に固定（係止）することが可能である。後は、引き出した替え用弦３０のもう一端をチューニングピン１６の穴に通し、チューニングピン１６を巻き上げれば、ハープ１０本体に替え用弦３０を張り替えることができる。
【００２９】
これにより、うまく結び目が作れない初心者等であっても、太く硬い弦を結ぶという作業を省略できるため、容易に弦の張り替え作業を行うことが可能となる。即ち以上の本実施形態によれば、張り替え容易なハープ用弦を提供することが可能である。
【００３０】
なお、本考案の好適な実施の形態により、特定の具体例を示して本考案を説明したが、実用新案登録請求の範囲に定義された本考案の広範な趣旨および範囲から逸脱することなく、これら具体例に様々な修正および変更を加えることができることは明らかである。すなわち、具体例の詳細および添付の図面により本考案が限定されるものと解釈してはならない。
【００３１】
例えば、替え用弦３０はボルト３２・ナット３１付きの弦２０の形状で販売されるものを用いるものとして説明した。しかしながら、ボルト３２・ナット３１と、弦２０とを非一体の状態で販売され、利用者が弦の張り替え作業を行う際において、ボルト３２・ナット３１付きの弦２０を作成してもよい。この場合、上述したように弦２０をボルト３２に設けられた穴３２ａに通してからナット３１をねじ巻いて嵌め込むだけであるため、細い弦を結ぶという細作業を省略でき、初心者等でも同様に弦の張り替え作業を容易に行うことが可能である。
【００３２】
また、その後に弦２０を張り替える場合、ボルト３２・ナット３１を再利用することが可能である。切れた弦２０からボルト３２・ナット３１を取り外し、新しい弦２０に再びボルト３２・ナット３１を取り付ければよい。
【００３３】
また、ハープ１０本体と弦２０とを止め穴１４ａにおいて固定するためのボルト３２・ナット３１は、異なる形状のボルト・ナットでもよく、更にサウンドボックス１４の止め穴１４ａよりもサイズが大きい限りにおいて他の部材であってもよい。
【符号の説明】
【００３４】
１０      ハープ本体
２０      弦
３０      替え用弦
３１      ナット
３２      ボルト
【図１】
0003218309.tif 000003
【図２】
0003218309.tif 000004
【図３】
0003218309.tif 000005
【図４】
0003218309.tif 000006
【図５】
0003218309.tif 000007
【図６】
0003218309.tif 000008
【図７】
0003218309.tif 000009
【図８】
0003218309.tif 000010
【図９】
0003218309.tif 000011